Podtech/llm-jp-corpus-v4-ja_patent huggingface dataset:
(57)【要約】      （修正有）【課題】今までに数多くの漏電防止の為の電気プラグが出願されているが、そのいずれもが、金属端子部とプラグ本体とが成型加工で一体化している。このことは従来の家庭や、会社で使用されているプラグには適用不可能ということになる。それを解決するために発明した。【解決手段】電気プラグ先端の金属端子（６）が入る穴（２）を設ける。本体（１）はプラスチック又は塩化ビニールに類する物質で作る。本体（１）の裏面には、すぐにはがせるシール（４）が張り付けてあり、シールの下には強力な接着部（３）となっている。使用するときは、本体（１）の裏側のシール（４）をはがし穴（２）に電気プラグの金属端子部（６）を通し、接着部（３）を電気プラグに張り付ける。以上のように構成された漏電防止具。【選択図】図１
2006004897.tif 000002
【特許請求の範囲】
【請求項１】
１：電気プラグ先端の金属端子部（６）が入る穴（２）を設ける。
２：本体（１）の構造は絶縁体の役目をするプラスチック又は塩化ビニールに類する物質よりなる。
３：本体（１）の裏側には、すぐにはがせるシール（４）が張り付けられており、シールの下は強力な接着部（３）となっている。
４：使用する場合は、本体（１）の裏側のシール（４）をはがし、穴（２）に電気プラグの金属端子部（６）を通し、接着部（３）を電気プラグに張り付ける。
以上のように構成された漏電防止具。
【発明の詳細な説明】
【発明の詳細な説明】
【０００１】  ［発明の属する技術分野］
本発明は電気プラグにおける漏電を防止するための発明である。
【０００２】  ［従来の技術］
今までに電気プラグの漏電を防ぐために数多くの電気プラグの改良の発明が出願されているが、いずれもが金属端子部とそれに巻かれている絶縁部がプラグ本体と一体成型として形成されている。それに関しては、公開特許公報及び公開実用新案公報にて先願調査済みである。［参考までに最後に同封］
【０００３】  ［発明が解決しようとする課題］
電気プラグの漏電防止には、プラグ先端部の金属部に絶縁部を巻くことが良いことは先願調査済みである。だが今までに出願されている総てに共通することは絶縁部とプラグ本体（５）が一体成型として形成されている。
確かに、これからの新しいプラグとしては、それで良いかもしれない。しかし今までに既に生産され、使用され続けている数多くの電気プラグには使用できない。
今までに生産され、使用されている漏電防止不可能のプラグは一体どのくらいの数存在するであろうか。我が国のみで、一家庭に電気製品は５０以上ある。会社、工場、その他を計算すると、１００億個位は存在する。
新しい漏電プラグが、これから総て入れ替わるのに要する時間はざっと１０年はかかるだろ。それを考えると、従来の電気プラグに使用できる漏電防止具を考えたほうが効率もよい。
今まで出願された数多くの漏電防止プラグは絶縁部が一体成型として形成されている為に、今までに製造され使用されているプラグには使用できない。［特開平８−３１４９６／平８−１６２２０１／平８−２２２３０８／平８−２３６１８８／平８−２３６１８９／平８−２６４２２５／平８−２９３３４５／平９−２５９９６７］［公開実用昭和５４−１３６５８７／５９−５２５７６］
又、実用新案として既に公開されている漏電防止具に、プラグとコンセントの間に絶縁体を挟み込むのがあるが、（既にコンセント安全カバーとして商品化されているので参考にコピーを送付）これには、大きな欠点がある。その欠点はプラグの大きさは電気メーカーによって異なるという事である。ごく一部のプラグには対応できるが、丸いプラグや大きなプラグには使えない。又、プラグと絶縁体の間に透き間ができて使えないプラグも多い。
【０００４】  ［課題を解決する為の手段］
絶縁部本体（１）とプラグ本体（５）を別々に考えた。その点では既に商品化されているコンセント安全カバーと同じ考えである。ただし、コンセント安全カバーでは一部のプラグしか使えない欠点がある。そこで、すべての電気プラグに使えてしかもコストも安い製品を考えた。
漏電防止具を電気プラグの先端金属端子に挿入し、従来の電気プラグに張り付ける。その張り付け方はいたって簡単である。シールをはがして張り付けるだけでよい。又、その漏電防止具は一方だけでも電流抑止効果（漏電防止）がある。
【０００５】  ［発明実施の構造及びその形態］
図面参照の上説明する。
電気プラグ（５）の先端端子部（６）が入るほどの穴（２）を有する絶縁防止具本体（１）は裏側に接着部（３）があり、その上にははがしやすいシール（４）が張ってある。
本体を使用する場合はシール（４）をはがし、電気プラグ先端の金属端子（６）に被せ、そのまま電気プラグに張り付ける。接着部（３）がしっかりとプラグに固定され、従来の電気プラグがいとも簡単に漏電防止プラグに変身する。
【０００６】  絶縁防止具本体（１）は、プラスチック又は塩化ビニール、又はそれに類する絶縁物質からなる。
裏面の接着部（３）は強力なものを使用する。又、シール（４）は両面テープのシールと同じものと考えて良い。
【０００７】  ［発明の効果］
１：本発明品は、どのような電気プラグにも対応し、即座に使用できるという大きな利点がある。
２：本発明品はコストが極めて安い。
【図面の簡単な説明】  ［図１］
シールを半分はがした裏面からの図
［図２］
シールをはがした前方からの図
［図３］
断面図
［図４］
実際の使用図
［参考図］
公開特許公報／公開実用新案広報／コンセント安全カバー
【符号の説明】
１：絶縁部本体
２：先端金属端子が入る穴
３：裏面接着部
４：はがせるシール
５：プラグ
６：先端金属端子部
【図１】
2006004897.tif 000003
【図２】
2006004897.tif 000004
【図３】
2006004897.tif 000005
【図４】
2006004897.tif 000006
(57)【要約】【課題】従来は二次元的平面な団扇に湾曲をつけ三次元的にした照明笠を提供する。【解決手段】団扇に湾曲を持たせた照明用笠で、弓４の片方の先端に連結具５を固定して、複数の小骨２と小骨２を連結具５で固定させて弓４のもう一方の先端に連結具５を固定する、次に弓４を要３で曲げて柄１と弓４に角度をつけることによって湾曲を設けることが出来る、小骨２を中に挟み両面からシート６を糊で貼り糊が乾燥したら型を整えて作った照明用笠である。【選択図】図１
2006004898.tif 000002
【特許請求の範囲】
【請求項１】
団扇に貝状の湾曲を持たせた照明用笠で、弓４の片方の先端に連結具５を固定して、小骨と複数の小骨２を連結具５で固定して弓４のもう一端の先に連結具５を固定する。次に弓４を要３部分で曲げて柄１と弓４に角度Ａをつけることによって小骨２の全体に湾曲を設けることが出来る。次に小骨２を中に挟み両面からシート６を糊で貼り付け糊が乾燥したら型をととのえて照明用笠となる。
【発明の詳細な説明】
【技術分野】
【０００１】  本発明は竹と和紙の特性を生かした立体的な貝又は花びら状の湾曲を持たせた変形団扇で、組合せを変えることで色々な形状の照明用笠が出来る。特に和室には独特ななごやかさ、形状と色を変えることで洋室にも調和した雰囲気を作り出すことが出来る。
【背景技術】
【０００２】  従来和風照明笠と云えば提灯、あんどん等が代表的で現代の照明用笠としては利用が限定されたものであった。
【発明の開示】
【発明が解決しようとする課題】
【０００３】  提灯、あんどん等には次のような欠点があった。現代では洋式照明が進み提灯といえば居酒屋の看板、あんどんといえば旅館の部屋に置くものというような固定概念が出来てしまったが、本発明はこれらの問題点を解決するためになされたものである。
【課題を解決する為の手段】
【０００４】  団扇に貝状の湾曲を持たせた照明用笠で、弓４の片方の先端に連結具５を固定して、小骨２と複数の小骨２を連結具５で固定して弓４のもう一端の先に連結具５を固定する、次に弓４を要３部分で曲げて柄１と弓４に角度Ａをつけることによって小骨２の全体に湾曲を設けることが出来る。次に小骨２を中に挟み両面からシート６を糊で貼り付け糊が乾燥したら型を整えて照明用笠となる。
【発明の効果】
【０００５】  本発明は大きさ・形・色等組合せを変えることによりホテル・レストラン・結婚式場・家庭等何処でも利用出来る。
【発明を実施するための最良の形態】
【０００６】  以下本発明の実施の形態を説明する。
先ず竹を所定の長さに切り、次に所定の幅に割り、小骨２なる部分の竹の身を除く、小骨２になる部分の厚さを決めて割る、次に節７の近くに要３の穴をあける。弓４を削る、削った弓４を要３に通して連結具５の糸を弓４の一端に固定して小骨２を編んで編み終ったら編み始めた反対側の弓４の先端に連結具５の糸を固定する。次に柄１に対して弓４を倒してＡなる角度をつけることによって出来た湾曲を生かして小骨２の両面に和紙を糊で貼り糊が乾燥したら型を整える。本発明はこのような構造で使用例は図面参照のこと。
【図面の簡単な説明】
【０００７】
【図１】      本発明品の平面図
【図２】      本発明品の左側面図
【図３】      本発明品のＢ−Ｂ断面図
【図４】      本発明品を１枚使用した壁掛用照明笠の正面図
【図５】      本発明品を２枚使用したスタンド型照明笠の正面斜図
【図６】      本発明品を２枚使用したスタンド型照明笠の左側面斜図
【図７】      本発明品を３枚使用したスタンド型照明笠の正面図
【図８】      本発明品を４枚使用した間接照明天井吊り下げ笠斜図
【図９】      本発明品を４枚使用した直接照明天井吊り下げ笠斜図
【図１０】      本発明品を４枚使用した天井吊り下げ笠底面斜図
【図１１】      本発明品を５枚使用したスタンド型照明笠の斜図
【図１２】      電気スタンド斜図
【図１３】      本発明品６枚使用した照明笠の斜図
【符号の説明】
【０００８】  １  柄
２  小骨
３  要
４  弓
５  連結具
６  シート
７  節
８  壁掛スタンド
９  置型スタンド
１０  笠
１１  ソケット
１２  電球
１３  コード
１４  キャップ
１５  アーム
１６  止メ具
１７  スタンド
【図１】
2006004898.tif 000003
【図２】
2006004898.tif 000004
【図３】
2006004898.tif 000005
【図４】
2006004898.tif 000006
【図５】
2006004898.tif 000007
【図６】
2006004898.tif 000008
【図７】
2006004898.tif 000009
【図８】
2006004898.tif 000010
【図９】
2006004898.tif 000011
【図１０】
2006004898.tif 000012
【図１１】
2006004898.tif 000013
【図１２】
2006004898.tif 000014
【図１３】
2006004898.tif 000015
(57)【要約】【課題】電圧変動対策装置自身の電力損失を低減することのできる商用電源系統の電圧変動対策方法を提供する。【解決手段】商用電源系統２の電圧変動を、落雷監視装置１２、電圧変動監視装置１３、風向風速監視装置１４で得られた情報に基づいて予知し、電圧変動を予知した場合にのみ電圧変動対策装置４を負荷側電源母線１に接続する。【選択図】図１
2006311642.tif 000002
【特許請求の範囲】
【請求項１】
商用電源系統の電圧変動を落雷監視情報、電圧変動監視情報、風向風速監視情報の何れかに基づいて予知し、前記電圧変動を予知した場合にのみ電圧変動対策装置を負荷に接続するようにしたことを特徴とする商用電源系統の電圧変動対策方法。
【発明の詳細な説明】
【技術分野】
【０００１】
本発明は、商用電源系統の電圧変動対策方法に関する。
【背景技術】
【０００２】
商用電源系統に発生する電圧変動としては、落雷、塩害、飛来物等によるものが一般的である。そして、このような電圧変動が商用電源系統に発生すると負荷側に正常な電力を供給できなくなるため、従来においては、商用電源系統と負荷側電源母線とをバッテリー式、フライホイール式、リアクトル式、コンデンサ式等の電圧変動対策装置（無停電電源装置）を介して接続し、商用電源系統に瞬時的な電圧低下が発生した場合に無停電電源装置に蓄えたエネルギで負荷を駆動して、商用電源系統の電圧変動によるトラブルを回避するようにしている（特許文献１参照）。
【特許文献１】特開２００２−３５９９２８号公報（段落番号０００２）
【発明の開示】
【発明が解決しようとする課題】
【０００３】
しかし、電圧変動対策装置は負荷側電源母線と常時接続されているため、電圧変動対策装置自身の電力損失が発生するという問題がある。このような問題を解決するためには、電圧変動対策装置を負荷側電源母線から切り離し、電圧変動が発生した場合にのみ負荷側電源母線と電圧変動対策装置とを接続すれば良いが、落雷、塩害、飛来物等による電圧変動は何時発生するかが判らず、電圧変動が発生してから電圧変動対策装置と負荷側電源母線とを接続すると電圧変動によるトラブルを回避することができなくなる。
そこで、本発明は、このような事情に鑑みてなされたもので、電圧変動対策装置自身の電力損失を低減することのできる商用電源系統の電圧変動対策方法を提供することを目的とするものである。
【課題を解決するための手段】
【０００４】
上記の目的を達成するために、本発明に係る商用電源系統の電圧変動対策方法は、商用電源系統の電圧変動を落雷監視情報、電圧変動監視情報、風向風速監視情報の何れかに基づいて予知し、前記電圧変動を予知した場合にのみ電圧変動対策装置を負荷に接続するようにしたことを特徴とする。
【発明の効果】
【０００５】
本発明に係る商用電源系統の電圧変動対策方法によれば、商用電源系統の電圧変動を落雷監視情報、電圧変動監視情報、風向風速監視情報の何れかに基づいて予知することで、商用電源系統に電圧変動が発生するか否かを的確に予知することができる。これにより、電圧変動の発生が予想される場合にのみ電圧変動対策装置を負荷側電源母線に接続すればよいので、電圧変動対策装置自身の電力損失を低減することができる。
【発明を実施するための最良の形態】
【０００６】
以下、本発明に係る商用電源系統の電圧変動対策方法を図面に基づいて説明する。
図１は、本発明に係る商用電源系統の電圧変動対策方法を電力供給システムに適用した一実施形態を示す図である。同図において、符号１は負荷に接続された負荷側電源母線であって、この負荷側電源母線１と商用電源系統２とを接続する接続ライン３には、スイッチ７，８が設けられている。また、図中４は商用電源系統２の電圧変動を補償する電圧変動対策装置（例えば無停電電源装置）であって、この電圧変動対策装置４と商用電源系統２とを電気的に接続する接続ライン５には、スイッチ９が設けられている。そして、電圧変動対策装置４と負荷側電源母線１とを電気的に接続する接続ライン６には、スイッチ１０が設けられている。
【０００７】
スイッチ７〜１０は電圧変動予知装置１１からの信号により開閉動作するようになっており、電圧変動予知装置１１は落雷監視装置１２、電圧変動監視装置１３及び風向風速監視装置１４からの信号に基づいて商用電源系統２の電圧変動を予知するように構成されている。
このような構成において、落雷監視装置１２、電圧変動監視装置１３及び風向風速監視装置１４からの信号に基づいて電圧変動予知装置１１が商用電源系統２の電圧変動を予知すると、電圧変動予知装置１１からの信号によりスイッチ７，８が「閉」状態から「開」状態に切り替わると共にスイッチ９，１０に「開」状態から「閉」状態に切り替わる。これにより、負荷側電源母線１及び商用電源系統２から切り離されていた電圧変動対策装置４が負荷側電源母線１及び商用電源系統２と電気的に接続するため、電圧変動対策装置４を負荷側電源母線１に常時接続していた場合と比較して、電圧変動対策装置自身による電力損失を低減することができる。
【０００８】
したがって、商用電源系統２に電圧変動を落雷監視情報、電圧変動監視情報、風向風速監視情報に基づいて予知することで、商用電源系統２に電圧変動が発生するか否かを的確に予知することができ、これにより、電圧変動の発生が予想される場合にのみ電圧変動対策装置４を商用電源系統２に接続すればよいので、電圧変動対策装置自身の電力損失を低減することができる。
【０００９】
上述した実施形態では、商用電源系統２に電圧変動が発生する場合にのみスイッチ１０を「開」から「閉」に切り替えて電圧変動対策装置４と負荷側電源母線１とを接続するようにしたが、図２に示す他の実施形態のように、電圧変動対策装置４を直接、負荷設備や分散電源系統に接続してもよい。また、変圧器やリアクトルなどの高インピーダンス機器１５を商用電源系統２と負荷側電源母線１とを接続するラインに設け、商用電源系統２の電圧変動を高インピーダンス機器１５により受け難くするように構成してもよい。
【００１０】
また、図１に示した実施形態では、落雷監視装置１２、電圧変動監視装置１３及び風向風速監視装置１４で得られた情報に基づいて電圧変動を予知するようにしたが、落雷監視装置１２で得られる落雷監視情報、電圧変動監視装置１３で得られる電圧変動監視情報、風向風速監視装置１４で得られる風向風速監視情報のうち何れかの情報を基に商用電源系統２の電圧変動を予知するようにしてもよい。
【図面の簡単な説明】
【００１１】
【図１】本発明に係る商用電源系統の電圧変動対策方法を電力供給システムに適用した一実施形態を示す図である。
【図２】本発明に係る商用電源系統の電圧変動対策方法を電力供給システムに適用した他の実施形態を示す図である。
【符号の説明】
【００１２】
１  負荷側電源母線
２  商用電源系統
４  電圧変動対策装置
７〜１０  スイッチ
１１  電圧変動予知装置
１２  落雷監視装置
１３  電圧変動監視装置
１４  風向風速監視装置
１５  高インピーダンス機器
【図１】
2006311642.tif 000003
【図２】
2006311642.tif 000004
(57)【要約】【課題】  従来 落花生の種皮付きの実を加工していた為、種皮の中に含まれるポリフェノールの量はごく僅かであった。このポリフェノールは、活性酸素を抑える作用があり、生活習慣病の予防に良いとされているが、量が少ない為効果がなかった。【解決手段】  落花生の種皮付きの実に 種皮を加えて加工する事により、ポリフェノールの量が増大した為、落花生の加工品が、生活習慣病を予防する健康食品になった。【選択図】  なし【特許請求の範囲】
【請求項１】
落花生の種皮が付いた実に、落花生の種皮を加えて、これを加工した事を特徴とする落花生の加工品。
【請求項２】
落花生の種皮が付いた実に、落花生の種皮を加えて、これを加工した事を特徴とする落花生の加工品の製造方法。
【発明の詳細な説明】
【技術分野】
【０００１】
落花生の加工品と言えば、殻のままや、種皮付きの実、又は種皮を取った実や、或いは実を砕いて、これに味付け等の加工をしている。これらの中で本発明は、殻から取出した種皮付きの実を加工して作る加工品と、その製造方法に関するものである。
【背景技術】
【０００２】
種皮付きの実を加工して作る加工品と、その製造方法に関する発明の中で、本発明に関する従来の技術や、文献は見当たらないと思われる。
【発明の開示】
【発明が解決しようとする課題】
【０００３】
ここで種皮付きの実について述べると、種皮付きの実を100とすると、種皮の部分は重量比で3.1に過ぎない。しかしこの3.1％の皮に、表１に示す如く、ポリフェノールが多く含まれている。
【０００４】
【表１】
2006311816.tif 000002
【０００５】
このポリフェノールは、疾病 発癌 老化の原因となる活性酸素を抑える作用があり、高血圧 動脈硬化 心筋梗塞 脳血栓 糖尿病 肝炎 老化 癌などの生活習慣病の予防に良いとされている。
【０００６】
ここで先ず活性酸素が生活習慣病の原因になっている事を、表を用いて詳しく説明する。表２は活性酸素について、表３は活性酸素の発生が 生体障害起こす作用について、表４は活性酸素が原因で起こる病気について、夫々説明した表である。
【０００７】
【表２】
2006311816.tif 000003
【０００８】
【表３】
2006311816.tif 000004
【０００９】
【表４】
2006311816.tif 000005
【００１０】
活性酸素が、生体内で食品部分を酸化させて行くが、ポリフェノールがこれを防止する事について、表を用いて詳しく説明する。表５は抗酸化について、表６は落花生種皮抽出物の濃度と抗酸化能の関連を示し、濃度が高い程 食品部分の酸化を抑制する事について、夫々説明した表である。
【００１１】
【表５】
2006311816.tif 000006
【００１２】
【表６】
2006311816.tif 000007
【００１３】
ところが種皮付きの実には、重量比で僅か3.1％の種皮しかないので、含まれるポリフェノールの量はごく僅かで、健康食品としての効果は殆ど期待出来ない。そこで種皮付きの実を、健康食品として価値を高めた加工品とする。
【課題を解決するための手段】
【００１４】
そこで種皮付きの実に、別に種皮だけをとって加える事にした。こうする事により、ポリフェノールの量は、種皮付きの実だけの場合に比べ、約８倍増加した。
表７は、重量比で落花生の種皮が付いた実10対し、種皮３を加えたら、全体に対する種皮の量が約８倍増加した事を示し、従ってポリフェノールの量も、約８倍増加した事を示している。
【００１５】
【表７】
2006311816.tif 000008
【００１６】
なお落花生の種皮には独特の渋みがあるが、種皮付きの実に種皮を加えた加工品に、砂糖を加える事により、砂糖が渋みをマスクし、渋みが無く良好な食味を持つ食品にする事が出来た。
【発明の効果】
【００１７】
このように従来 種皮付きの実を加工していた為、ポリフェノールの量は、ごく僅かであったが、本発明はこれに種皮を加えて加工する事により、ポリフェノールの量が増大し、しかも種皮の渋みがない加工品を作る事が出来た。そしてこの加工品は、ポリフェノールが多量に含まれている為、高血圧 癌 等の生活習慣病が予防できる健康食品になった。
【発明を実施するための最良の形態】
【００１８】
種皮付きの実に、種皮を加えて加工する方法を、実施例を用いて説明する。
【実施例１】
【００１９】
先ず落花生の種皮が付いた実１に対し、重量比で水１を加える。更にこれに落花生の種皮0.3に対し、重量比で水１を加える。すると全体の重量比は、種皮が付いた実１、種皮0.3、水２になる。そこでこれを8時間浸漬する。次にこれをこのまま20分間圧力鍋で茹でた後、これをマスコロイダー(潰す機械)で潰す。次にこの潰した物23に対し、重量比で砂糖23と塩0.2を加えて混合する。
最後にこれを100ｇつづ袋詰めして、120 ℃で20分 レトルト加工して殺菌すると、粘性体の落花生の加工品が出来る。
【産業上の利用可能性】
【００２０】
この落花生の加工品は、クリームとして、ソフトクリーム、アイスクリームの他、パンやケーキに使用される。次に餡として、饅頭、餅、パン に入れて使用される。その他 ぜんざい、ゼリーに使用する等、利用範囲は極めて広い。
(57)【要約】【課題】異常プリオンたんぱく質の無害化処理方法。【解決手段】BSEやクロイツフェルトヤコブ病等で知られるプリオン病の原因とされる異常プリオンは、正常プリオンのたんぱく質構造の一部がらせん状からシート状に変化し複雑な立体構造となったものであり、この立体構造を解きほぐせばプリオン病の予防となる。そこで異常プリオンが含まれる可能性のある肉（脳や骨髄を含む）をゴムやポリプロピレン、ポリエチレン等でできた密閉できる袋や容器に脱気封入し、これを超高圧タンク内で１００ＭＰa〜１８００ＭＰaに加圧することにより異常プリオンの立体構造を破壊し無害化する処理方法である。【選択図】図１
2006311801.tif 000002
【特許請求の範囲】
【請求項１】
プリオン病の原因とされる異常プリオンを１００ＭＰa〜１８００ＭＰaに加圧処理をすることによりその構造を破壊し、異常プリオンの持つ感染性や、あるいは連鎖反応により正常プリオンを感染性のある異常プリオンに変換していく性質を無くする無害化処理方法。
【発明の詳細な説明】
【技術分野】
【０００１】
本発明は、BSEやクロイツフェルトヤコブ病などのプリオン病の原因とされる異常プリオンを無害化する処理方法である。
【背景技術】
【０００２】
現在BESやクロイツフェルトヤコブ病などのプリオン病の原因として正常プリオンの構造の一部がらせん状からシート状に変わった異常プリオンであることがわかってきている。
【０００３】
この構造の複雑化した異常プリオンの立体構造を解きほぐせば体内の酵素で分解されプリオン病の予防に役立つわけだが、最近プリオン病やアルツハイマー病、パーキンソン病等を引き起こすような複雑な立体構造のたんぱく質をときほぐして１本のひものような形に変形させるアンフォルジンという分子が酵母の細胞質の中から発見された。また、特許文献１に開示されているようにロイシン、イソロイシンやバリンなどのアミノ酸を異常プリオンたんぱく質に加えるとその増殖を抑えることが出来ることもわかってきている。
【特許文献１】特開２００４−２９２４３７
【発明の開示】
【発明が解決しようとする課題】
【０００４】
プリオン病の原因とされる異常プリオンが含まれている可能性のあるものは食用肉のみならず一般の食品、化粧品、さらには一部の医薬品と非常に幅広いが、規制されているのは食用肉だけで他はチェックされることなく一般に流通している。したがって我々は常にプリオン病の危険にさらされている状態である。
【０００５】
これに対し現在、プリオン病が発症した場合の治療法は研究されてはいるが、本来であれば異常プリオンが体内に取り込まれる前段階で安全を確保する処置がなされるべきである。しかしこれまでのところ有効な方法はなかった。
【課題を解決するための手段】
【０００６】
本発明は異常プリオンが含まれる可能性のある肉（脳や骨髄を含む）をゴムやポリプロピレン、ポリエチレン等でできた密閉できる袋や容器に脱気封入し、これを超高圧タンク内で１００ＭＰa〜１８００ＭＰaに加圧することにより異常プリオンを無害化する処理方法である。
【発明の効果】
【０００７】
たんぱく質はアミノ酸の長い鎖が複雑に折りたたまれており、場所によってらせん状にクルクル巻きになっていたり、シート状に折りたたまれたりしている。このらせんが何らかの刺激によってシート状に変わることがわかっており、一般にプリオンたんぱく質で、らせん状からシー状トへの変換が次々起こるとプリオン病が発症するとみられている。本発明ではシート状の変換が進み複雑な立体構造となった異常プリオンの立体構造を超高圧処理により破壊し無害化する。
【発明を実施するための最良の形態】
【０００８】
本発明を実施するための形態の一例を図１を参照しながら説明する。図１は本発明の実施の形態にかかる異常プリオン無害化装置の全体構成を示す斜視図である。
【実施例１】
【０００９】
肉（脳や骨髄を含む）をゴムやポリプロピレン、ポリエチレン等でできた密閉できる袋や容器に脱気封入し３の超高圧力容器に水とともに入れふたをする。この時圧力容器内に空気が残るため８の真空ポンプユニットで容器内を完全に脱気する。材料が封入された圧力容器が中心に来るよう４のプレスフレームを移動し２の超高圧ポンプユニットにより１８００ＭＰaまで加圧する。
【００１０】
所定の圧力まで達した段階で異常プリオンの立体構造は破壊されていると考えられるが安全を見て１〜２０分程度圧力を維持する。
【産業上の利用可能性】
【００１１】
プリオン病の危険性から開放されるだけでなく、高圧処理することにより肉のスジが切れやわらかくおいしくなる、さらには高圧殺菌されるため一石三鳥のメリットがあり利用の可能性は大いにあると考えている。
【図面の簡単な説明】
【００１２】
【図１】異常プリオン無害化処理装置全体構成図である。
【符号の説明】
【００１３】
１    制御装置
２    超高圧ポンプユニット
３    超高圧力容器
４    プレスフレーム
５    テレビカメラ
６    障壁
７    処理品装着取出装置
８    真空ユニット
１０  データロギングユニット    
【図１】
2006311801.tif 000003
(57)【要約】【課題】夜尿や失禁の敷蒲団濡れを防ぐ従来の防水シーツは、事後の寝返りでその水分が表面で押し広げられて拡散し、着衣を広く濡らしてしまう欠点がある。【解決手段】表面に独立して凸起する多数の空気小袋を点在させて凹凸面の下シートを形成し、一方同様に表面を凹凸面に形成した上シートの凹部に孔を設け、上下に重ねてホックで止め、夜尿や失禁の水分を下シートの凹部に落下滞留させ上下シート間に閉じ込めて寝返りなどによる押し広げと着衣の濡れそぼつを防ぐ。  また、事後の洗いにおいてはホックを外し、上下のシートを分離して簡単に水で洗い流せる。【選択図】図１
2006311871.tif 000002
【特許請求の範囲】
【請求項１】
下シートに独立凸起する多数の空気小袋を点在させて凹凸の表面を形成し、一方の上シートを同様に形成して寝姿の臀部が位置する部位の交叉凹部其々に水分を通す孔を設けて構成した防水シーツ。
【発明の詳細な説明】
【技術分野】
【０００１】
本発明は、夜尿や失禁の濡れそぼつを防ぐ防水シーツに関する。
【背景技術】
【０００２】
従来、夜尿や失禁での敷蒲団の濡れを防ぐ防水シーツには平面的な形状のシートが用いられ、また吸湿性の素材を表面に合成して構成した防水シーツが市販されているが、事後の寝返りで水分が押し広げられて着衣の濡れを拡散する。
【０００３】
【特許文献１】特開２００３−２６６６０３
【発明の開示】
【発明が解決しようとする課題】
【０００４】
従来、夜尿や失禁による敷蒲団の濡れ防止に平面的な表面の防水シーツが用いられているが、夜尿や失禁の水分はその平面的な表面に滞留して寝返りその他で押し広げられ、拡散して着衣の濡れそぼつを助長する。
【課題を解決するための手段】
【０００５】
合成樹脂薄地シートの一面に独立して凸起する多数の空気小袋を点在させて表面を凹凸形成した下シートと、一方同様に表面を凹凸形成して臀部の位置する部位の交叉凹部に其々孔を設けて上シートを形成し、上下のシートを重ね合わせ、夜尿や失禁で臀部から漏れた周辺の水分を上シートに設けた孔から下シートの凹部に落下させ上下のシート間に閉じ込めて寝返りでの押し広げや着衣への濡れ拡散を防ぐ。
【発明の効果】
【０００６】
本発明の防水シーツは、空気小袋凸端の点触で形成される下シートの凹部空間に、夜尿や失禁の水分を落下させて上下のシート間に閉じ込めるので臀部以外には水分が行かず、事後の寝返りにおいても表面での押し広げがなく拡散を抑制して着衣の濡れそぼつを防ぐ。                              
【０００７】
事後においては、上下シートを分離して簡単に水洗いし、水切れと乾きが早いので繰り返し直ぐに使え、その敷き替えにおいても上下のシートをホック止めしてそのまま敷けるので寝たきりや病人その他高齢者などの介護用防水シーツとして最適であり、少量の温水や水を用いる程度の臀部周辺洗滌がそのまま可能であり、介護の労も軽減する。
また、洗滌後の処理においては、前後左右の端を中心部へ折り向けて水分を中央部に集め、そのまま持ち上げて捨て排水出来る。
【０００８】
表面に空気小袋を設けて形成する本発明の防水シーツは、その空気小袋先端の点触が心地好く肌触りや保温性にも優れるので、別に下シート同様に形成し本防水シーツと共に上蒲団下の掛布として用いる事も出来、上蒲団への防水効果も得られる。
【発明を実施するための最良の形態】
【０００９】
以下、本発明の実施の形態を図１〜図２に基づいて説明する。
【００１０】
表面に独立して凸起する多数の空気小袋を点在させて凹凸面の下シートを形成し、一方同様に表面を凹凸面に形成した上シートの凹部に、水が通り抜ける適度な孔を設け、上下に重ねて夜尿や失禁の水分を下シートの凹部に落下滞留させて閉じ込め、寝返りなどによる着衣の濡れ拡散を防ぎ、事後においてはホックを外し上下を分離して簡単に水で洗い流せ、水切れと乾きが早い安価で濡れの拡散防止機能を持った防水シーツを実現した。
【実施例１】
【００１１】
図において、１は本発明の防水シーツである。
防水シーツ１は、上シート２と下シート３の対で構成する。
２は上シートである。
上シート２は、独立して凸起する空気小袋４を多数点在させて凹凸の表面を形成し、臀部が位置する範囲の凹部５の交叉部其々に孔６を設け、左右の両端に複数のホック（雄）７を設ける。
３は下シートである。
下シート３は、独立凸起した多数の空気小袋４を点在させて凹凸の表面を形成し、上シート２に設けた複数のホック（雄）７が合致する位置に同数のホック７（雌）を左右に設ける。
【００１２】
４は空気小袋である。
空気小袋４は、上下シート２、３の表面に凸起し多数独立点在させ縦横の凹部５を形成すると共に先端の点触で体をソフトに支える柱の役目を成す。
５は凹部である。
凹部５は、表面に独立して凸起する多数の空気小袋４で縦横に形成され、上シート２においては夜尿や失禁による表面の水分をその交叉部に設けた孔６で下シート３の凹部５に落下滞留させて閉じ込め、上シート２表面の水分を減少させて着衣の濡れ拡散を防ぐ。
孔６は、水が下にスムーズに抜け落ちる適度の口径で上シート２の凹部５の交叉部に設け、夜尿や失禁の上面側水分を下シート３の凹部５に導水して滞留させ閉じ込める。
また、凹部に閉じ込めた水分の横流れ流出を防ぐために、下シート３左右の端を下側に丸く折り返して固着し両端を小高く形成するとよい。
【００１３】
７はホックである。
ホック７は、上下シート２、３の左右両端に複数設けて双方の着脱を自在にし、防水シーツ１の使用においては上下重ね合わせホック７で止めて結着し、事後の汚れ処理においては上下シート２、３のホック７を外して分離し、其々の汚れを簡単に水で洗い流せる。
【産業上の利用可能性】
【００１４】
本発明の防水シーツは、一般家庭の他、子供が昼寝もする保育園や幼稚園、或いは病院や介護施設などでの利用に適する。
【図面の簡単な説明】
【００１５】
【図１】本発明の実施形態を示す防水シーツの上面斜視図
【図２】同、上下シートの正面断面図
【符号の説明】
【００１６】
１  防水シーツ
２  上シート
３  下シート
４  空気小袋
５  凹部
６  孔
７  ホック
【図１】
2006311871.tif 000003
【図２】
2006311871.tif 000004
(57)【要約】【課題】ルチンを高含有するそば粉を容易に得ることのできるルチン高含有韃靼そば粉の製造方法及びそば粉の加工品を提供する。【解決手段】韃靼そばの種子を石臼で挽き外層粉のみを４０〜９５℃で水分の蒸発とルチン分解酵素の失活及び殺菌する焙煎処理工程からなるルチン高含有韃靼そば粉及びそば粉の加工品を製造することを特徴とする。【特許請求の範囲】
【請求項１】
韃靼そばの種子を石臼で挽き外層粉のみを４０〜６０℃、２０分間焙煎処理して水分を蒸発する一次工程と６０〜７０℃、５分間焙煎処理をして更に水分の蒸発とルチン分解酵素を失活させる二次工程と７０〜８０℃、５分間焙煎処理する三次工程と８０〜９５℃、１０分間殺菌処理する四次工程からなることを特徴とするルチン高含有韃靼そば粉の製造方法。
【請求項２】
請求項１記載の方法で製造したルチン高含有韃靼そば粉を１０μに超微細化してカプセル充填したそば粉加工品。
【発明の詳細な説明】
【発明の詳細な説明】
【技術分野】
【０００１】本発明は、ルチン高含有韃靼そば粉の製造方法及びそば粉加工品に関する。
【背景技術】
【０００２】韃靼種のそば種子から製粉した韃靼そば粉には、日本そば種子から製粉したそば粉と比較しておよそ１００〜２００倍のルチンが含まれている。
ルチンは、ビタミンの一種で高血圧や動脈硬化の予防等に有用な成分であることが知られているため、韃靼種のそば粉は健康食品素材として注目されている。
韃靼種のそば粉中には、ルチン分解酵素が含有されており加水によりルチンが分解されてケルセチンに変化する。そのため、韃靼種の種子又はそば粉を熱処理してルチン分解酵素を失活させことが提案されている。（特許文献１〜３参照）
しかしながら、これらはいずれも熱処理によるルチン分解酵素の失活の提案であり、ルチンの含有量も１，３００ｍｇ％、１，６９８ｍｇ％、１，７９０ｍｇ％といずれも多くないものであった。【０００３】
【特許文献１】特公平５−６３１３３号公報
【特許文献２】特許第２７６６２５９号公報
【特許文献３】特開２００５−１３００５号公報
【発明の開示】
【発明が解決しようとする課題】
【０００４】解決しようとする問題点は、栄養的に優れたルチンの含有量を如何に保持するかが大きな問題であった。本発明の目的は、高含有ルチンを保持するそば粉を容易に得ることのできるルチン高含有韃靼そば粉の製造方法及びそば粉加工品を提供することである。
また、ケルセチンは、コレステロールの酸化を抑えて動脈硬化の予防、肝臓での脂肪の燃焼の促進、炎症やアレルギー又は花粉症の抑制、脳細胞の老化予防等に役立つと考えられ、研究が進められている。このように栄養的にケルセチンの効用にも役立つものである。
【課題を解決するための手段】
【０００５】本発明者は上記課題を達成するために鋭意研究を重ねた結果、韃靼そばの種子を石臼で挽き、特にルチンの含有量の多い外層粉（いわゆる三番粉）のみを選別・使用し、低温で焙煎処理して水分を蒸発させ、次いで中温で焙煎処理してルチン分解酵素の失活と高温で焙煎処理して殺菌することによりルチン高含有韃靼そば粉を得ることを見出し、本発明を完成させるに至った。従って、本発明は具体的に、韃靼そばの種子を石臼で挽き外層粉のみを４０〜６０℃、２０分間焙煎処理して水分を蒸発する一次工程と６０〜７０℃、５分間焙煎処理をして更に水分の蒸発とルチン分解酵素を失活させる二次工程と７０〜８０℃、５分間焙煎処理する三次工程と８０〜９５℃、１０分間殺菌処理する四次工程からなることを特徴とするルチン高含有韃靼そば粉の製造方法である。
本発明はまた、上記方法で製造したルチン高含有韃靼そば粉を１０μに超微細化してカプセル充填したそば粉加工品、即ち健康補助食品である。
【発明の効果】
【０００６】本発明の韃靼そば粉の製造方法によれば、韃靼そば種子の外層粉（いわゆる三番粉）のみを使用して低温〜中温〜高温で焙煎処理することにより、そば粉の水分蒸発とルチン分解酵素の失活及び殺菌をすることにより容易にルチン高含有そば粉を得ることができる。
また、本発明の方法により得られた韃靼そば粉を健康補助食品（サプリメント）として使用すると多量のルチンを摂取することができる他、体内で一部が他の酵素等によりケルセチンに変成するため、同時にケルセチンも摂取できる等相乗効果を奏することができる。
【発明を実施するための最良の形態】
【０００７】本発明に於いて、韃靼そば粉の韃靼種（Ｆａｇｏｐｙｒｕｍ  ｔａｔａｒｉｃｕｍ）そば種子は、その産地を特に限定するものではないがチベット、ネパール、中国雲南省が好ましい。
本発明の一実施形態として韃靼そばの種子を石臼で挽き外層粉（いわゆる三番粉）のみを選別・使用し、焙煎して水分を蒸発させ、次いで高温で加熱することを特徴とするルチン高含有韃靼そば粉の製造方法である。【０００８】本発明で焙煎処理する条件は４０〜９５℃である。先ず、一次工程で４０〜６０℃、２０分間焙煎処理して水分を蒸発させ、二次工程で６０〜７０℃、５分間焙煎処理して水分の蒸発とルチン分解酵素を失活させ、三次工程で７０〜８０℃、５分間焙煎処理し、四次工程で８０〜９５℃、１０分間殺菌処理する。
上記焙煎処理を実施するための装置として、特殊で高価な装置は必要でなく通常食品加工に使用されている攪拌翼を有した蒸気加熱式の二重釜であれば良い。【０００９】製粉方法及び製粉装置は石臼を使用して製粉するものである。
【実施例】
【０００１０】石臼で挽いた韃靼そば粉（三番粉）６０ｋｇを蒸気加熱式二重釜に投入して、先ず４０〜６０℃、２０分間焙煎処理して水分を蒸発させ、次いで、６０〜７０℃、５分間焙煎処理してルチン分解酵素を失活させ、更に７０〜８０℃、５分間焙煎処理し、最後に８０〜９５℃、１０分間焙煎・殺菌処理して韃靼そば粉を得た。このそば粉のルチン含有量は４，５００ｍｇ％と高い数値を示した。また、一般生菌数は３００以下／ｇ、大腸菌群は陰性で耐熱菌数は発育を認められなかった。更にこのそば粉を健康補助食品として摂取できる様１０μに超微細化してカプセル充填した。
【産業上の利用可能性】
【０００１１】本発明の方法によって得られたそば粉を超微細化して、カプセル充填することによりルチン高含有の健康補助食品として利用できる他、健康志向のそば類、各種のそば粉加工食品、例えば、パン類、ケーキ類、和菓子類の製造等に使用することができる。
(57)【要約】【課題】水やりの手間がはぶけ、かつ水枯れも防ぐ植木鉢を提供する。【解決手段】植木鉢の底に排水溝と同時に水の溜まる部分を設けることを特徴とする。【選択図】図２
2006311841.tif 000002
【特許請求の範囲】
【請求項１】
底に水の溜まる部分を設けた植木蜂
【発明の詳細な説明】
【技術分野】
【０００１】この発明は、底の一部に水が溜まるようにした植木鉢に関するものである。
【背景技術】
【０００２】従来、植木鉢の底には排水用の穴があいており、水を溜めるようにはなっていない。
【発明の開示】
【発明が解決しょうとする課題】
【０００３】植物の根には当然水が必要ですが、多くの植物は根が水に浸かった状態が長く続くと根ぐされを起こして枯れてしまう、そこで植木鉢の底には排水用の穴があけられています。これにより通常１日１回か２回水やりをする必要があるが、植木鉢の数が多かったりするとこの水やりが手間のかかる作業となるし、また真夏などは朝に水やりをしても夕方までもたず乾燥しすぎてしおれそうになることもある。
本発明は、以上のような状態をなくすためになされたものである。
【課題を解決するための手段】
【０００４】植木鉢の底に排水溝と同時に少量の水が溜まる部分をもうける。
以上の構成よりなる水の溜まる植木鉢である。
【発明の効果】
【０００５】植木鉢の底に排水溝と水の溜まる部分が同時に存在するので、根は水につかりきった状態にならずに水を補給することができる。これにより水やりの回数をへらすこともできるし、真夏の水枯れをなくすこともできる。
【発明を実施するための最良の状態】
【０００６】以下、本発明の実施例について説明する。
植木鉢の底の中央部に窪みをつけ水の溜まる部分を設け、その周りには排水溝を設ける。本発明は、以上のような構造でこれは現在ある植木鉢と同様に使用すればよい。
【図面の簡単な説明】
【０００７】
【図１】  本発明の断面図である
【図２】  本発明の斜視図である
【符号の説明】
【０００８】      １  外周
２  底
３  水受け
４  排水溝
【図１】
2006311841.tif 000003
【図２】
2006311841.tif 000004
(57)【要約】【課題】  岩場において投げ釣りしたときに根掛かってしまうという不都合を解決すること。【解決手段】  根掛かり防止用のアームを複数取り付け、錘の接続部周りをカバーした、根掛かり防止アーム付天秤１により、この課題を解決する。【選択図】  図１
2006311839.tif 000002
【特許請求の範囲】
【請求項１】
軸に複数のアームを取り付け、錘との接続部をカバーしたことを特徴とする天秤。
【発明の詳細な説明】
【技術分野】
【０００１】  本発明は、釣り道具に関するものであり、投げ釣り用の天秤に工夫を加えることによって、根掛かりしないようにしたものである。
【技術背景】
【０００２】  従来から、投げ釣り用として軸に仕掛け用アームが１本ついた天秤、もしくは錘が可動であるジェット天秤が利用されている。
【発明の開示】
【発明が解決しようとする課題】
【０００３】  しかし、従来のような錘の接続部にカバー（アーム）がない天秤では、岩場の根に着水した場合に、軸と錘の間の連結点が根掛かりしてしまい、仕掛け全体を失いがちである。本発明は、このような、岩場において投げ釣りしたときに根掛かってしまうという不都合を解決することを課題とする。
【発明を解決するための手段】
【０００４】  この課題を解決するための請求項１の発明は、天秤の軸に従来の仕掛け用のアームとは別に、根掛かり防止用のアームを複数取り付け、錘の接続部周りをカバーしたことを特徴とする、根掛かり防止アーム付天秤である。岩場の根に仕掛けが着水した場合に、アームが錘と軸の連結点を保護することにより、仕掛け全体が根掛かるのを防ぐことができる。
【発明の効果】
【０００５】  本発明により、岩場において投げ釣りをした場合に根掛かるという不都合は起きづらく、適宜岩場でも投げ釣りをすることができる。
【発明を実施するための最良の形態】
【０００６】  図１は、天秤の軸に根掛かり防止用アームを複数取り付け、錘の接続部周りをカバーしたことを特徴とする、根掛かり防止アーム付天秤である。同図に見られる様に、根掛かり防止アームで錘と軸の連結点を保護することにより、岩場における根掛かりを防ぐことができる。【０００７】  これらアームの材料は天秤と同じ素材の剛性のある針金が望ましい。素材の弾性により岩場の形状に対応することができる。また、１本では錘と軸の連結点をカバーしきれないため、アームの数は２本以上が望ましい。
【産業上の利用可能性】
【０００８】  岩場における根掛かり防止天秤は、需要の多い発明のため、量産する可能性があり、産業上の利用可能性を有する。
【図面の簡単な説明】
【０００９】
【図１】  根掛かり防止アーム付天秤の立体図である。
【符号の説明】
【００１０】  １    天秤の軸
２    従来の仕掛け用アーム
３    根掛かり防止アーム・１
４    根掛かり防止アーム・２
５    （錘）
６    （接続部）
７    （仕掛け）
８    （竿）
【図１】
2006311839.tif 000003
(57)【要約】【課題】  利便性、効率性を高め、ゴミの削減を可能とするべく、紅茶葉を提供する。【解決手段】  紅茶葉を微細な粉末状態にすることによって、解決する。【特許請求の範囲】
【請求項１】
飲料用として紅茶等飲料に用いるため、もしくは食品用として風味付け等食品に用いるために使用することを特徴とする微細な粉末状の紅茶葉
【発明の詳細な説明】
【技術分野】
【０００１】  本発明は飲料用もしくは食品用に使用する紅茶葉に関するものである。
【背景技術】
【０００２】  紅茶を作る際、熱湯を使用して紅茶葉、あるいはティーバッグから数秒もしくは数分抽出しなければならない。【０００３】    また、抽出後、茶殻等のゴミが発生する。
【特許文献１】  特許公表２００３−５０６１０３
【特許文献２】  特許公表２００２−５３６００４
【発明の開示】
【発明が解決しようとする課題】
【０００４】  紅茶を作る際、または紅茶風味の食品を作る際の利便性を高めること、そしてカテキン等有効成分を効率よく抽出すること、さらにはゴミの削減である。
【発明を解決するための手段】
【０００５】  利便性、効率性を高め、ゴミの削減を可能とするべく、微細な粉末状の紅茶葉を提供する。
【発明の効果】
【０００６】  以上の説明から明らかなように、請求項１に記載した発明は、微細な粉末状態にしたことを特徴とするため、利便性、効率性を高め、ゴミの削減という所期の効果を奏する。
【発明を実施するための最良の形態】
【０００７】  紅茶葉を微細な粉末状態に加工したものである。
【実施例１】
【０００８】  粉末紅茶葉をお湯または水に溶かし、紅茶または紅茶飲料とする。【０００９】  粉末紅茶葉を食品にふりかけまたは混合し、紅茶風味食品とする。
【産業上の利用可能性】
【００１０】  現在の紅茶葉を代替するものとして普及する可能性がある。
(57)【要約】フライパンに水を入れ、水が沸騰したところに分量どおりの調味料とほぐした卵を入れ、卵が全体になじむように混ぜ合わせ、卵が半熟状態のうちに好みの量のカレー粉を入れカレー粉も全体になじむように混ぜ合わせ好みのカレールーのかたさになるまで煮つめて出来上がらす。（卵をほぐす場合全卵の状態でほぐすがこのとき、白身はほとんどそのままの状態で黄身だけをほぐすような状態で軽く卵をほぐす。）【特許請求の範囲】
【請求項１】
１人分の分量が水１００ｃｃ（好みによる）、砂糖大さじ３杯（好みによる）
2006311832.tif 000002
ソース大さじ１杯、カレー粉小さじ２杯（好みによる）以上の調味料の分量と卵１個によってのカレーのルー
（注）大さじはカレー用スプーン、小さじはティー用スプーン
【発明の詳細な説明】
【技術分野】
【０００１】本発明は、水、調味料、カレー粉、１個の卵だけでレストランで食する以上のおいしさがあり、５分ほどの速さで出来上がるカレールー
【背景技術】
【０００２】従来のカレールーは、肉、野菜の準備時間、炒めたり煮る時間等を考えると少なくとも１時間半はかかりますがフライパンによって１人分５分もあれば作れるというカレールーです
(57)【要約】【課題】  岩場において投げ釣りしたときに根掛かってしまうという不都合を解決すること。【解決手段】  根掛かり防止用のアームを複数取り付け、錘の接続部周りをカバーした、根掛かり防止アーム付ジェット天秤１により、この課題を解決する。【選択図】  図１
2006311840.tif 000002
【特許請求の範囲】
【請求項１】
スタッドに複数のアームを取り付け、錘との接続部をカバーしたことを特徴とする天秤。
【発明の詳細な説明】
【技術分野】
【０００１】  本発明は、釣り道具に関するものであり、投げ釣り用のジェット天秤に工夫を加えることによって、根掛かりしないようにしたものである。
【技術背景】
【０００２】  従来から、投げ釣り用として錘が可動であるジェット天秤、もしくは軸に仕掛け用アームが付いた天秤が利用されている。
【発明の開示】
【発明が解決しようとする課題】
【０００３】  しかし、従来のような錘の接続部にカバー（アーム）がない天秤では、岩場の根に着水した場合に、軸と錘の間の連結点が根掛かりしてしまい、仕掛け全体を失いがちである。本発明は、このような、岩場において投げ釣りしたときに根掛かってしまうという不都合を解決することを課題とする。
【発明を解決するための手段】
【０００４】  この課題を解決するための請求項１の発明は、天秤の軸に根掛かり防止用のアームを複数取り付け、錘の接続部周りをカバーしたことを特徴とする、根掛かり防止アーム付ジェット天秤である。岩場の根に仕掛けが着水した場合に、アームが錘と軸の連結点を保護することにより、仕掛け全体が根掛かるのを防ぐことができる。
【発明の効果】
【０００５】  本発明により、岩場において投げ釣りをした場合に根掛かるという不都合は起きづらく、適宜岩場でも投げ釣りをすることができる。
【発明を実施するための最良の形態】
【０００６】  図１は、天秤の軸に根掛かり防止用アームを複数取り付け、錘の接続部周りをカバーしたことを特徴とする、根掛かり防止アーム付ジェット天秤である。同図に見られる様に、錘の先頭部に設けた、錘と同程度の可動性を与えたスタッドの先頭部から、３本以上の根掛かり防止アームが設置されている。これらが程よく開きながら錘と軸の連結点を保護することにより、岩場における根掛かりを防ぐことができる。【０００７】  これらアームの材料は天秤と同じ素材の剛性のある針金が望ましい。素材の弾性により岩場の形状に対応することができる。また、２本以下では錘と軸の連結点をカバーしきれないため、アームの数は３本以上が望ましい。
【産業上の利用可能性】
【０００８】  岩場における根掛かり防止ジェット天秤は、需要の多い発明のため、量産する可能性があり、産業上の利用可能性を有する。
【図面の簡単な説明】
【０００９】
【図１】    根掛かり防止アーム付ジェット天秤の立体図である。
【符号の説明】
【００１０】  １    天秤の軸
２    仕掛け用アーム
３    錘
４    スタッド
５    （可動部）
６    根掛かり防止アーム・１
７    根掛かり防止アーム・２
８    根掛かり防止アーム・３
９    根掛かり防止アーム・４
【図１】
2006311840.tif 000003